(57)【要約】【課題】マイクロ波センサがトイレ設備やトイレルームから露出することがなく、トイレ設備やトイレルームのデザインをすっきりとすることが可能なトイレ設備を提供する。【解決手段】ロータンクカバー１２の前面の裏側には、大洗浄用のマイクロ波センサ４０と、小洗浄用のマイクロ波センサ４２とが接着剤等によって固着されている。ロータンクカバー１２前面表側のうち、該マイクロ波センサ４０，４２の前方位置には、各々「大用スイッチ」及び「小用スイッチ」の文字を記載したフィルムが貼着されている。これらのマイクロ波センサ４０及び４２はドップラーセンサであり、マイクロ波を送信し、反射してきたマイクロ波を受信して人の手の接近を検出する。【選択図】  図１
2004197458.tif 000002
【特許請求の範囲】
【請求項１】
便器電装品と、該便器電装品を手動で操作するためのマイクロ波センサとを有するトイレ設備において、
該マイクロ波センサをトイレルームのカウンター又はキャビネット内部に配置したことを特徴とするトイレ設備。
【請求項２】
便器電装品と、該便器電装品を手動で操作するためのマイクロ波センサとを有するトイレ設備において、
該マイクロ波センサをトイレルームの壁内部に配置したことを特徴とするトイレ設備。
【請求項３】
便器電装品と、該便器電装品を足で操作するためのマイクロ波センサとを有するトイレ設備において、
該マイクロ波センサをトイレルームの床内部に配置したことを特徴とするトイレ設備。
【請求項４】
便器電装品と、該便器電装品を手動で操作するためのマイクロ波センサとを有するトイレ設備において、
該マイクロ波センサを洋風便器の後部上面のケーシング内部に配置したことを特徴とするトイレ設備。
【請求項５】
請求項１ないし４のいずれか１項において、該マイクロ波センサは便器に洗浄水を供給するための洗浄スイッチであることを特徴とするトイレ設備。
【発明の詳細な説明】
【０００１】
【発明の属する技術分野】
本発明は便器電装品を備えたトイレ設備に係り、特にこの便器電装品のスイッチとしてマイクロ波センサを用いたトイレ設備に関する。
【０００２】
【従来の技術】
便器に洗浄水を供給するためのスイッチとしてマイクロ波センサを用いることが特開２００２−１０６０２６号公報特にその第００２０段落に記載されている。同号公報では、トイレルームの壁面に取り付けられたリモコン装置内にマイクロ波センサが設けられている。
【０００３】
【特許文献１】
特開２００２−１０６０２６号公報
【０００４】
【発明が解決しようとする課題】
リモコン内にマイクロ波センサを配置したのでは、単に既存のリモコンのスイッチが非接触式となっているだけであり、マイクロ波センサの特徴を十分に活用していない。
【０００５】
本発明は、マイクロ波センサがトイレルーム内に非突出状に設けられたトイレ設備を提供することを目的とする。
【０００６】
【課題を解決するための手段】
本発明（請求項１）のトイレ設備は、便器電装品と、該便器電装品を手動で操作するためのマイクロ波センサとを有するトイレ設備において、該マイクロ波センサをトイレルームのカウンター又はキャビネット内部に配置したことを特徴とするものである。
【０００７】
本発明（請求項２）のトイレ設備は、便器電装品と、該便器電装品を手動で操作するためのマイクロ波センサとを有するトイレ設備において、該マイクロ波センサをトイレルームの壁内部に配置したことを特徴とするものである。
【０００８】
本発明（請求項３）のトイレ設備は、便器電装品と、該便器電装品を足で操作するためのマイクロ波センサとを有するトイレ設備において、該マイクロ波センサをトイレルームの床内部に配置したことを特徴とするものである。
【０００９】
本発明（請求項４）のトイレ設備は、便器電装品と、該便器電装品を手動で操作するためのマイクロ波センサとを有するトイレ設備において、該マイクロ波センサを洋風便器の後部上面のケーシング内部に配置したことを特徴とするものである。
【００１０】
本発明（請求項５）のトイレ設備は、マイクロ波センサは便器に洗浄水を供給するための洗浄スイッチであることを特徴とするものである。
【００１１】
かかる本発明のトイレ設備にあっては、マイクロ波センサがカウンター又はキャビネット、壁、床、あるいはケーシング内に配置されているので、マイクロ波センサがトイレルーム内に対し非突出状となる。このため、トイレルームの美観が良好となる。
【００１２】
なお、ケーシングとしては、ロータンクカバー又は便座ボックスが例示される。
【００１３】
【発明の実施の形態】
以下、図面を参照して実施の形態について説明する。図１は実施の形態に係るトイレ設備を備えたトイレルーム内の斜視図、図２はこのトイレ設備の内部透視斜視図である。
【００１４】
洋風便器１０の後部上面にロータンクカバー１２が設置され、該ロータンクカバー１２に便座１４と便蓋１６とが上下方向回動可能に取り付けられている。このロータンクカバー１２内にロータンク１８が設置されている。このロータンク１８の上部には、図示はしないが給水管が接続されたボールタップが取り付けられている。このボールタップは、浮玉の上下動に応じて開栓及び閉栓する周知のものである。ロータンク１８の底部にはフロート弁装置２０が取り付けられている。このフロート弁装置２０は、ロータンク底面の放水口に固着された弁座部２２と、該弁座部２２に上方から着座するフロート弁２４とを有する。なお、弁座部２２からはオーバーフロー管２６が上方に立設されており、該オーバーフロー管２６にフロート弁２４の浮上り防止用ストッパ２８が取り付けられている。
【００１５】
このフロート弁２４は、玉鎖３０を介してＬ形のハンドルシャフト３２の先端に接続されている。このハンドルシャフト３２を回動させるためのモータユニット３４がロータンク１８の上部側面に取り付けられている。図示は省略するが、このハンドルシャフト３２には、該モータユニット３４内において欠歯ギヤが固着されており、この欠歯ギヤに対し原動側のギヤが噛合している。この原動側のギヤがモータによって時計方向又は反時計方向に回動される。
【００１６】
ロータンクカバー１２の前面の裏側には、大洗浄用のマイクロ波センサ４０と、小洗浄用のマイクロ波センサ４２とが設置されている。ロータンクカバー１２前面の表側のうち、該マイクロ波センサ４０，４２の前方位置には、各々「大用スイッチ」及び「小用スイッチ」の文字を記載したフィルムが貼着されている。なお、レーザー印刷や塗料印刷等によって上記文字をロータンクカバーの前面に直接に印刷してもよい。文字は「大」「小」など他の文言であってもよく、絵や記号などであってもよい。これらのマイクロ波センサ４０及び４２はドップラーセンサであり、マイクロ波を送信し、反射してきたマイクロ波を受信して人の手の接近を検出する。
【００１７】
マイクロ波によるドップラーセンサは周知であり、マイクロ波センサからの送信波の周波数と、該送信波が近づいてきた手に反射して戻ってきた受信波の周波数との周波数差から手の接近を検知するように構成されている。なお、受信感度を調節することにより、所定距離以内に近づいた手の動きのみが検知されるよう構成されている。
【００１８】
本実施の形態ではマイクロ波として周波数が１ＧＨｚ〜１００ＧＨｚ程度の単一波を適用している。但し、周波数が若干異なる二つのマイクロ波を用いた、距離の測定が可能な２周波方式のマイクロ波センサを採用してもよい。この場合、マイクロ波センサから手までの距離を測定し、手がマイクロ波センサから所定範囲内に位置したときに手検知信号を出力する。
【００１９】
ロータンクカバー１２内には、各マイクロ波センサ４０，４２からの信号を受信してモータユニット３４を制御するモータ制御回路（図示略）が設けられている。
【００２０】
この洋風便器１０の側方のトイレルーム壁面５０に沿って、キャビネット５２が設置されている。このキャビネット５２の前面には扉５４が設けられ、上面にはカウンター５６が取り付けられている。カウンター５６には手洗鉢５８が設けられており、この手洗鉢５８の近傍には水栓６０が設けられている。
【００２１】
このような構成をしたトイレ設備の作動について以下に説明する。
【００２２】
使用者が大洗浄用のマイクロ波センサ４０に所定距離以内にまで手を近づけると、該マイクロ波センサ４０が手の接近を検知して検知信号を出力する。この検知信号を受けたモータ制御回路（図示略）がモータユニット３４を正回転させ、ハンドルシャフト３２を時計方向に回動させる。これにより、フロート弁２４が十分に引き上げられて、ロータンク１８内の水が便器１０内へ放出される。ロータンク１８内の水位が底面近くまで低下すると、フロート弁２４が弁座部２２に着座し、ボールタップからの給水がロータンク１８内に貯留される。
【００２３】
使用者が小洗浄用のマイクロ波センサ４２に手を近づけると、モータ制御回路がモータユニット３４を作動させて、ハンドルシャフト３２を反時計方向に所定の小角度だけ回転させる。これにより、フロート弁２４は若干だけ引き上げられ、この引き上げられている間だけ、ロータンク１８内の水が便器１０内に放出される。設定時間経過後、モータ制御回路はモータユニット３４を反転作動させ、ハンドルシャフト３２を元の姿勢（ハンドルシャフト３２のＬ形の先端が垂下する姿勢）に戻す。これにより、フロート弁２４は弁座部２２に着座し、水の便器１０内への放出が停止する。なお、この設定時間は、約２Ｌ程度の水が便器１０内に放出される時間である。
【００２４】
このように、本実施の形態にあっては、マイクロ波センサ４０，４２がロータンクカバー１２内に配置されているため、ロータンクカバー１２の外面がすっきりとし、デザインの改善を図ることができる。
【００２５】
なお、この実施の形態では、マイクロ波センサ４０，４２はロータンクカバー１２の前面に配置されているが、図１に示すマイクロ波センサ４０Ａ，４２Ａのように、ロータンクカバー１２の側面に配置されていてもよい。また、トイレルームの壁面５０の内部にマイクロ波センサ４０Ｂ，４２Ｂを設けてもよく、カウンター５６の前面の裏側にマイクロ波センサ４０Ｃ，４２Ｃを設けてもよく、キャビネット５２の扉５４の裏側にマイクロ波センサ４０Ｄ，４２Ｄを設けてもよい。また、トイレルームの床面の内部にマイクロ波センサ４０Ｅ，４２Ｅを設置し、足でスイッチ操作するようにしてもよい。
【００２６】
なお、マイクロ波センサを壁や床に設置する場合、設置スペースに余裕があるため、２個のマイクロ波センサ相互の間隔を広くとることができ、誤操作を防止できると共に、マイクロ波センサの感知領域を大きくとることもできる。いずれの場合も、マイクロ波センサは、各々壁面５０、カウンター５６、キャビネット５２及び床面から露出していないため、トイレルーム内がすっきりとし、美観に優れる。
【００２７】
本実施の形態では、マイクロ波センサは大洗浄用と小洗浄用の２個であるが、これに限定されることはなく、例えばシャワースイッチ、ビデ洗浄用操作スイッチ、温風を吹き出させるドライスイッチ、シャワー洗浄、ビデ洗浄、温風乾燥の作動を停止させるストップスイッチ等の各種スイッチをマイクロ波センサとしてもよい。
【００２８】
【発明の効果】
以上の通り、本発明のトイレ設備によると、マイクロ波センサが露出しないため、トイレ設備やトイレルームのデザインをすっきりとしたものとすることができる。
【図面の簡単な説明】
【図１】実施の形態に係るトイレ設備を備えたトイレルーム内の斜視図である。
【図２】実施の形態に係るトイレ設備の内部透視斜視図である。
【符号の説明】
１０  洋風便器
１２  ロータンクカバー
１４  便座
１６  便蓋
１８  ロータンク
２０  フロート弁装置
３４  モータユニット
４０，４０Ａ，４０Ｂ，４０Ｃ，４０Ｄ，４０Ｅ  大洗浄用マイクロ波センサ
４２，４２Ａ，４２Ｂ，４２Ｃ，４２Ｄ，４２Ｅ  小洗浄用マイクロ波センサ
５２  キャビネット
５６  カウンター
【図１】
2004197458.tif 000003
【図２】
2004197458.tif 000004